(57)【要約】    【課題】  回転部と固定部間に設けられる防水手段の防水機能を向上させ、より完全な防水機能を具備するレーザ測量機を提供する。    【解決手段】  レーザ光線を回転照射する回動部５７と、該回動部を回転自在に支持する本体部２５と、前記回動部と前記本体部間をシールするシール手段６８，６９とを具備し、該シール手段は前記回動部の回転中心と同心に前記本体部に形成された環突条と、該環突条が挿入され該環突条との間に間隙を形成する様前記回動部に設けられた環凹溝とを少なくとも同心２重に有すると共に前記間隙によって半径方向に屈曲形成された経路と、該経路途中の少なくとも１箇所に形成され、前記間隙より容積の大きい空隙部とを有する。    【選択図】          図１
2008122332.tif 000002
【特許請求の範囲】
【請求項１】
レーザ光線を回転照射する回動部と、該回動部を回転自在に支持する本体部と、前記回動部と前記本体部間をシールするシール手段とを具備し、該シール手段は前記回動部の回転中心と同心に前記本体部に形成された環突条と、該環突条が挿入され該環突条との間に間隙を形成する様前記回動部に設けられた環凹溝とを少なくとも同心２重に有すると共に前記間隙によって半径方向に屈曲形成された経路と、該経路途中の少なくとも１箇所に形成され、前記間隙より容積の大きい空隙部とを有することを特徴とするレーザ測量機。
【請求項２】
前記環突条は、少なくとも外側に形成された第１環突条と、内側に形成された第２環突条であり、該第２環突条は前記第１環突条より高く、前記第２環突条と該第２環突条が挿入される前記環凹溝の前記第１環突条側に前記空隙部が形成された請求項１のレーザ測量機。
【請求項３】
前記第２環突条の上端部外側に突出する庇部が形成され、該庇部の下方に前記空隙部が形成され、前記庇部の下面は前記第１環突条より高くなっている請求項１のレーザ測量機。
【請求項４】
少なくとも一方の前記環突条の少なくとも内周面は、上端側に向って外側に傾斜している請求項１のレーザ測量機。
【請求項５】
前記回動部は前記本体部の一部である平板を挾んで設けられ、前記第１環突条と、前記第２環突条は前記平板の上面に形成され、該平板の下面には第３環突条が形成され、前記回動部の前記下面対峙部には前記第３環突条が非接触で挿入される環凹溝が形成された請求項２のレーザ測量機。
【発明の詳細な説明】
【技術分野】
【０００１】
本発明はレーザ光線を回転照射し、基準面、基準線を形成するレーザ測量機、特に防水機能を有するレーザ測量機に関するものである。
【背景技術】
【０００２】
土木、建築工事に必要とされる基準面、基準線を形成するものとして、レーザ光線を回転照射するレーザ測量機がある。
【０００３】
レーザ測量機は、レーザ光線を偏向して照射する回動部を有し、該回動部を回転することで、レーザ光線により基準面、或は基準線が形成される。
【０００４】
又、レーザ測量機は野外で使用される場合があり、降雨時にも使用可能な様に防水機能を有していることが要求される。
【０００５】
従来、防水機能を有するレーザ測量機としては、回動部分を透過性を有するカバーにより覆う防水構造を有するものがあるが、より簡単で安価な防水構造を有するレーザ測量機としては特許文献１に示されるものがある。
【０００６】
図６を参照して従来のレーザ測量機について説明する。
【０００７】
ハウジング１の内部にジンバル支持部２を介して回転機構収納部３が直角２方向に揺動自在に支持されている。該回転機構収納部３には鉛直方向に延びる回転軸４が回転自在に支持され、該回転軸４はモータ５に連結され、又前記回転軸４にエンコーダ６が取付けられている。
【０００８】
前記回転軸４の上端には回転ヘッド７が取付けられ、該回転ヘッド７には発光部８が収納されている。該発光部８はレーザダイオード９、コリメートレンズ１０、ロッドレンズ１１等から構成され、前記レーザダイオード９から発せられたレーザ光線１３は鉛直方向に延びる線状光束として射出される。
【０００９】
前記回転機構収納部３の上部は前記ハウジング１から上方に突出しており、該ハウジング１と前記回転機構収納部３間はベローズ１４によってシールされ、又前記回転機構収納部３の突出部、前記回転ヘッド７はカバー１５によって覆われている。該カバー１５は投光窓１６を有し、該投光窓１６よりレーザ光線１３が射出される。
【００１０】
前記レーザダイオード９が点灯された状態で、前記モータ５を回転することで、前記回転軸４を介して前記回転ヘッド７が回転され、レーザ光線１３が水平方向に回転する様になっている。
【００１１】
前記回転ヘッド７と前記回転機構収納部３との間には防水手段であるラビリンスシール１７が設けられ、該ラビリンスシール１７により前記回転ヘッド７と前記回転機構収納部３間のシールがなされている。
【００１２】
前記ラビリンスシール１７について図７により説明する。
【００１３】
前記回転機構収納部３の上面には、断面が矩形の環突条１８と環凹溝１９がそれぞれ２重に同心に形成され、前記回転ヘッド７の下面には環凹溝２１、環突条２２が同心に形成され、前記環突条１８は前記環凹溝２１に遊嵌し、又前記環凹溝１９は前記環突条２２に遊嵌する様になっており、前記環突条１８と前記環凹溝２１、前記環凹溝１９と前記環突条２２は非接触で、半径方向に断面がクランク状の狭小な隙間２３が形成される様になっている。
【００１４】
前記回転機構収納部３と前記回転ヘッド７との間に屈曲した前記隙間２３が形成されることで、外部から前記回転機構収納部３の内部に水、埃等の浸入を抑止できると共に前記ラビリンスシール１７は回転部と固定部が非接触であるので、前記回転ヘッド７は抵抗なく回転できる。
【００１５】
降雨時、風雨時等での雨水の直接的な浸入を防止するには、前記隙間２３は小さい方が好ましいが、該間隙２３が小さい場合毛細管現象が作用するので、外部の水が徐々に浸入することは防止できない。
【００１６】
従って、従来の防水手段では、大量の降雨状態での使用、降雨状態での長時間の使用では、完全な防水を発揮できるとは限らなかった。
【００１７】
【特許文献１】米国特許第６６４３００４号明細書
【発明の開示】
【発明が解決しようとする課題】
【００１８】
本発明は斯かる実情に鑑み、回転部と固定部間に設けられる防水手段の防水機能を向上させ、より完全な防水機能を具備するレーザ測量機を提供するものである。
【課題を解決するための手段】
【００１９】
本発明は、レーザ光線を回転照射する回動部と、該回動部を回転自在に支持する本体部と、前記回動部と前記本体部間をシールするシール手段とを具備し、該シール手段は前記回動部の回転中心と同心に前記本体部に形成された環突条と、該環突条が挿入され該環突条との間に間隙を形成する様前記回動部に設けられた環凹溝とを少なくとも同心２重に有すると共に前記間隙によって半径方向に屈曲形成された経路と、該経路途中の少なくとも１箇所に形成され、前記間隙より容積の大きい空隙部とを有するレーザ測量機に係り、又前記環突条は、少なくとも外側に形成された第１環突条と、内側に形成された第２環突条であり、該第２環突条は前記第１環突条より高く、前記第２環突条と該第２環突条が挿入される前記環凹溝の前記第１環突条側に前記空隙部が形成されたレーザ測量機に係り、又前記第２環突条の上端部外側に突出する庇部が形成され、該庇部の下方に前記空隙部が形成され、前記庇部の下面は前記第１環突条より高くなっているレーザ測量機に係り、又少なくとも一方の前記環突条の少なくとも内周面は、上端側に向って外側に傾斜しているレーザ測量機に係り、更に又前記回動部は前記本体部の一部である平板を挾んで設けられ、前記第１環突条と、前記第２環突条は前記平板の上面に形成され、該平板の下面には第３環突条が形成され、前記回動部の前記下面対峙部には前記第３環突条が非接触で挿入される環凹溝が形成されたレーザ測量機に係るものである。
【発明の効果】
【００２０】
本発明によれば、レーザ光線を回転照射する回動部と、該回動部を回転自在に支持する本体部と、前記回動部と前記本体部間をシールするシール手段とを具備し、該シール手段は前記回動部の回転中心と同心に前記本体部に形成された環突条と、該環突条が挿入され該環突条との間に間隙を形成する様前記回動部に設けられた環凹溝とを少なくとも同心２重に有すると共に前記間隙によって半径方向に屈曲形成された経路と、該経路途中の少なくとも１箇所に形成され、前記間隙より容積の大きい空隙部とを有するので、屈曲した経路により水、埃の浸入を抑制すると共に該空隙部が毛細管現象を遮断し、水の浸入を防止する。
【００２１】
又本発明によれば、前記環突条は、少なくとも外側に形成された第１環突条と、内側に形成された第２環突条であり、該第２環突条は前記第１環突条より高く、前記第２環突条と該第２環突条が挿入される前記環凹溝の前記第１環突条側に前記空隙部が形成されたので、前記第１環突条を超えて浸入した水は、前記空隙部で貯溜され、内部への浸入を抑制する。又前記空隙部に溜った水の水位が前記第１環突条より高くなることで、溜った水の圧力により内部への水の浸入を防止する。
【００２２】
又本発明によれば、前記第２環突条の上端部外側に突出する庇部が形成され、該庇部の下方に前記空隙部が形成され、前記庇部の下面は前記第１環突条より高くなっているので、前記空隙部に溜った水の水位は前記第１環突条より高くなり、溜った水の圧力により内部への水の浸入を防止する。又、前記本体部が傾き或は横置きとなった場合に、前記空隙部に溜った水が内部に浸入することを防止できる。
【００２３】
又本発明によれば、少なくとも一方の前記環突条の少なくとも内周面は、上端側に向って外側に傾斜しているので、前記本体部を傾斜若しくは倒した場合に、経路中に浸入した水が重力の作用で外部に効果的に排出される。
【００２４】
更に又本発明によれば、前記回動部は前記本体部の一部である平板を挾んで設けられ、前記第１環突条と、前記第２環突条は前記平板の上面に形成され、該平板の下面には第３環突条が形成され、前記回動部の前記下面対峙部には前記第３環突条が非接触で挿入される環凹溝が形成されたので、中心部に浸入した水、埃は更に裏面側の前記第３環突条及び凹溝により封止され、より効果的な防水、防塵効果を発揮する等種々の優れた効果を発揮する。
【発明を実施するための最良の形態】
【００２５】
以下、図面を参照しつつ本発明を実施する為の最良の形態を説明する。
【００２６】
図１は本発明に係るレーザ測量機２４を示している。又、図１は、該レーザ測量機２４が縦置きされた状態を示している。
【００２７】
該レーザ測量機２４は、レーザ光線を回転照射する回動部５７（後述）と、該回動部５７を回転自在に支持する本体部２５とを具備している。
【００２８】
先ず、該本体部２５について説明する。
【００２９】
筐体２６の内部に支持棚２７が設けられ、該支持棚２７を上下方向に貫通して、発光部収納体２８が設けられ、該発光部収納体２８と前記支持棚２７の接触部は球面座２９となっており、前記発光部収納体２８は任意の方向に傾動自在となっている。
【００３０】
該発光部収納体２８は直交する２方向に延出する２本の傾動アームを有し、１つはＸ軸方向（図１中、紙面に対して左右方向）に延出するＸ軸傾動アーム３０であり、１つはＹ軸方向（図１中、紙面に対して垂直方向）に延出するＹ軸傾動アーム（図示せず）である。又、前記発光部収納体２８は内部が中空な円筒形状であり、該発光部収納体２８の中心軸は、Ｚ軸方向（紙面に対して上下方向）と合致しており、又内部に収納された発光部３３の光軸３４と合致している。
【００３１】
前記Ｘ軸傾動アーム３０、前記Ｙ軸傾動アームの先端にはそれぞれ係合ピン３５（一方は図示せず）が設けられ、該係合ピン３５は傾動機構部３６（一方は図示せず）に連結している。尚、該傾動機構部３６（一方は図示せず）は同じ機構であるので、以下は傾動機構部３６について説明する。
【００３２】
該傾動機構部３６は上下方向に設けられたスクリューシャフト３８を有し、該スクリューシャフト３８は回転自在に支持され、該スクリューシャフト３８の下端には傾動ギア３９が嵌着されている。該傾動ギア３９には傾動駆動ギア４０が噛合され、該傾動駆動ギア４０は整準モータ４１によって回転される様になっている。
【００３３】
前記スクリューシャフト３８にはナットブロック４２が螺合され、該ナットブロック４２には連結ピン４３が水平方向に突設され、該連結ピン４３と前記係合ピン３５とが摺動自在に係合している。
【００３４】
前記発光部収納体２８に、Ｘ軸方向の傾斜を検出するＸ軸チルトセンサ４５、Ｙ軸方向の傾斜を検出するＹ軸チルトセンサ４６、前記レーザ測量機２４が横置きとなった状態でのＺ軸の傾斜を検出するＺ軸チルトセンサ４７が設けられている。
【００３５】
前記発光部収納体２８の所要部分、即ち前記Ｘ軸傾動アーム３０、前記Ｙ軸傾動アームと干渉しない部分に、モータ支持座４９が設けられており、該モータ支持座４９に走査モータ５０が設けられ、該走査モータ５０の出力軸には走査駆動ギア５１が嵌着されている。
【００３６】
前記発光部収納体２８の上端には天板５３が取付けられ、該天板５３と前記筐体２６の上端間にはゴム製のベローズ５４が設けられ、前記天板５３と前記筐体２６間は液密となっていると共に前記天板５３は液密状態を保って前記筐体２６に対して任意な方向に傾動可能となっている。
【００３７】
前記発光部３３は、光源としてのレーザダイオード５５、対物レンズ５６等を具備し、前記レーザダイオード５５、前記対物レンズ５６は前記光軸３４の光軸上に下方から順次設けられている。
【００３８】
前記天板５３と前記発光部収納体２８とに掛渡って前記回動部５７が回転自在に設けられている。以下、該回動部５７について説明する。
【００３９】
前記発光部収納体２８の上端部は前記回動部５７の回転軸５８となっており、該回転軸５８に軸受を介してプリズムホルダ５９が回転自在に設けられ、該プリズムホルダ５９にペンタプリズム６１が設けられている。該ペンタプリズム６１の上面には楔プリズム６２が設けられ、該楔プリズム６２と前記ペンタプリズム６１の境界面はハーフミラーとなっている。前記ペンタプリズム６１は前記光軸３４を水平方向に偏向し、前記レーザダイオード５５から発せられるレーザ光線を水平方向に射出すると共にレーザ光線の一部を透過し、鉛直方向にも射出する。
【００４０】
前記プリズムホルダ５９には前記ペンタプリズム６１を覆う回動部カバー６３が設けられ、該回動部カバー６３は前記ペンタプリズム６１と一体に回転する様になっている。前記回動部カバー６３には前記水平方向のレーザ光線を射出する為の投光窓６４、鉛直方向のレーザ光線を射出する為の投光窓６５が設けられている。
【００４１】
前記プリズムホルダ５９の下部には、回転板６６が外嵌され、該回転板６６は前記天板５３の下側に配設され、該天板５３は前記回転板６６と前記回動部５７との間に挾まれる様になっており、前記回転板６６の外周部にはギアが刻設され、該ギアは前記走査駆動ギア５１と噛合し、前記回転板６６の外周部は走査ギア６７を構成する。
【００４２】
前記回動部カバー６３、前記回転板６６等の回転部分と前記天板５３等の固定部分との間には、雨天時での屋外、埃の多い環境での前記レーザ測量機２４の使用を可能とする様に、雨水、埃の浸入を防止する為のシール手段が設けられる。該シール手段は前記天板５３と前記回動部カバー６３間に設けられる第１シール手段６８と、前記天板５３と前記回転板６６との間に設けられる第２シール手段６９を具備している。
【００４３】
前記シール手段について図２により説明する。
【００４４】
前記回転板６６の中心部７０が上方に突出し、突出した該中心部７０が前記天板５３の中心部を遊貫している。前記天板５３の上面に前記光軸３４を中心とする第１環突条７１が突出形成され、該第１環突条７１より内側に第２環突条７２が突出形成され、更に該第２環突条７２の内側に第３環突条７３が突出形成され、該第３環突条７３は前記中心部７０と所要の隙間を介して対峙している。
【００４５】
前記第１環突条７１の断面形状は高さｈ１を有し、外周面が前記天板５３の上面に対して垂直であり、内周面は外側に倒れる様に傾斜している。前記第２環突条７２の断面形状は高さｈ２を有し、上端部に外側に向って突出する庇部７２ａを有する鉤形状となっており、該庇部７２ａの下面の高さはｈ３となっている。又、前記第３環突条７３の断面形状は矩形形状となっており、前記第３環突条７３の上面は前記天板５３の上面より低くなっている。
【００４６】
前記第１環突条７１と前記第２環突条７２との間には第１凹溝７４が形成され、前記第２環突条７２と前記第３環突条７３との間には第２凹溝７５が形成される。
【００４７】
前記回動部カバー６３の下面に、前記第１環突条７１と同心に第３凹溝７６が形成され、該第３凹溝７６と同心で該第３凹溝７６の内側に第４凹溝７７が形成され、前記第３凹溝７６と前記第４凹溝７７との境界には第４環突条７８が形成され、前記回動部カバー６３の内周面に沿って第５環突条７９が形成される。
【００４８】
前記第３凹溝７６の断面形状は、前記第１環突条７１と略相似形であり、該第１環突条７１は前記第３凹溝７６に装入され、前記第１環突条７１と前記第３凹溝７６との間には同一幅の間隙が形成される。
【００４９】
前記第２環突条７２の断面形状は、略矩形形状となっており、該第２環突条７２は前記第４凹溝７７に遊嵌され、該第４凹溝７７と前記第２環突条７２との間には間隙が形成されると共に前記庇部７２ａの下側には第１液溜め８１が形成される。該第１液溜め８１は、浸入した水を貯溜する為の充分な容積を有する空隙部であり、少なくとも毛細管現象が作用しない充分な間隙、容積を有する様に形成されている。
【００５０】
前記第５環突条７９が前記第２凹溝７５に装入され、該第２凹溝７５と前記第５環突条７９との間には間隙が形成され、前記第２凹溝７５は第２液溜めとして機能する。
【００５１】
前記第１環突条７１、前記第２環突条７２、前記第３凹溝７６、前記第４凹溝７７等は前記第１シール手段６８を構成する。
【００５２】
前記天板５３の下面で、前記中心部７０の近傍に第６環突条８２が形成される。前記回転板６６の上面に環状の第５凹溝８３を形成する様に第７環突条８４が形成され、前記第６環突条８２は前記第５凹溝８３に挿入され、該第５凹溝８３と前記第６環突条８２との間には間隙が形成され、前記第５凹溝８３は第３液溜めとして機能する。
【００５３】
前記第３環突条７３、前記第６環突条８２、前記第５凹溝８３等は前記第２シール手段６９を構成する。
【００５４】
前記第１シール手段６８によって雨水、埃の浸入が抑止され、該第１シール手段６８を通過した雨水、埃の浸入は前記第２シール手段６９によって更に抑止され、雨水、埃が前記筐体２６内部に浸入することを防止する。
【００５５】
以下、レーザ測量機の作用について説明する。
【００５６】
先ず、図示される様に前記レーザ測量機２４が縦置きされた状態について説明する。
【００５７】
該レーザ測量機２４が設置されると、該レーザ測量機２４の整準が行われる。
【００５８】
前記Ｘ軸チルトセンサ４５、前記Ｙ軸チルトセンサ４６によってＸ軸方向、Ｙ軸方向の傾斜が検出され、前記Ｘ軸チルトセンサ４５、前記Ｙ軸チルトセンサ４６の検出結果に基づき前記整準モータ４１（一方は図示せず）が駆動され、前記ナットブロック４２が上下動され、前記Ｘ軸傾動アーム３０、前記Ｙ軸傾動アーム（図示せず）が傾動され、前記Ｘ軸チルトセンサ４５、前記Ｙ軸チルトセンサ４６が水平を検出する様に調整される。前記Ｘ軸チルトセンサ４５、前記Ｙ軸チルトセンサ４６が水平を検出する状態で前記発光部収納体２８、即ち前記光軸３４が鉛直となり、前記ペンタプリズム６１で偏向された射出光軸は水平となる。
【００５９】
前記レーザダイオード５５を点灯すると、射出されたレーザ光線は前記対物レンズ５６で平行光束とされ、前記ペンタプリズム６１で偏向され、水平方向に射出される。
【００６０】
前記走査モータ５０を駆動することで、前記走査駆動ギア５１を介して前記走査ギア６７が回転され、更に前記回転板６６、前記プリズムホルダ５９、前記ペンタプリズム６１が前記走査ギア６７と一体に回転してレーザ光線が水平面内を回転照射され、レーザ光線による水平基準面が形成される。又、壁面等をレーザ光線が走査するとで、水平基準線が形成される。
【００６１】
又、前記投光窓６５からは鉛直基準線を形成するレーザ光線が射出される。
【００６２】
前記レーザ測量機２４を横置きに設置し、前記発光部収納体２８が水平姿勢となる様に設置された場合、前記Ｚ軸チルトセンサ４７によって前記発光部収納体２８の傾斜が検出される。前記Ｚ軸チルトセンサ４７の検出結果に基づき前記整準モータ４１が駆動され、前記Ｚ軸チルトセンサ４７が水平を検出する様に整準される。
【００６３】
該Ｚ軸チルトセンサ４７が水平を検出する状態では、レーザ光線の射出方向は前記光軸３４に対して直交しているので、レーザ光線が回転照射されることで、鉛直基準面が形成される。
【００６４】
又、前記投光窓６５からは水平にレーザ光線が射出されており、該レーザ光線を目標点に合致させることで、目標に対して直交する鉛直基準面が形成される。
【００６５】
上記した様に、前記回動部５７を構成する前記回動部カバー６３、前記回転板６６と前記天板５３とは非接触であり、前記回動部５７の回転抵抗を低減する構造となっており、又該回動部５７と前記天板５３間には前記第１シール手段６８、前記第２シール手段６９が設けられている。
【００６６】
以下、前記第１シール手段６８、前記第２シール手段６９の防水、防塵の作用について説明する。尚、以下の説明は一例として、防水について説明する。又、前記レーザ測量機２４が風雨の中屋外に縦置きの状態で設置されているとする。
【００６７】
斜め方向から前記レーザ測量機２４に雨が降り付けた場合、前記第１環突条７１が前記第３凹溝７６に挿入され、前記第１環突条７１と前記第３凹溝７６間は狭小な隙間となっているので、前記回動部カバー６３と前記天板５３の間隙入口８５からの雨水の直接的な浸入が防止される。一方、毛細管現象により、前記第１環突条７１と前記第３凹溝７６間の狭小な隙間を雨水が浸入し、前記第１液溜め８１に滲出る。該第１液溜め８１の存在により、毛細管現象による浸入力が遮断される。
【００６８】
滲出た水は、前記第１液溜め８１に貯溜される。該第１液溜め８１に貯溜された水の水位が前記第４環突条７８の下端より上昇すると、貯溜された水により前記第１環突条７１と前記第３凹溝７６間の水に外部に押戻そうとする圧力が作用し、該圧力と前記毛細管現象による滲み現象とが均衡した状態で、雨水の浸入が抑止される。
【００６９】
更に、前記第１液溜め８１の水位が前記第１環突条７１の高さｈ１を超えると、貯溜された水の圧力により、貯溜された水を外部に排出する力が作用し、更に雨水の浸入が防止される。即ち、浸入した水が前記第１液溜め８１に溜ることで、水封シールとしての機能が発揮される。
【００７０】
尚、風等の力で、雨水の浸入が前記第１液溜め８１からの水圧に勝り、前記第２環突条７２を超えて浸入した場合、水は前記第２凹溝７５に溜る。更に、浸入した水が前記第３環突条７３を超えた場合も、前記第５凹溝８３に溜り、前記第７環突条８４は浸入した水が前記筐体２６内部に落下することを防止する。
【００７１】
前記間隙入口８５から前記第５凹溝８３に至る迄の間隙は、途中に液溜めを有すると共に複雑に屈曲した経路となっており、又大きな流路抵抗を形成する。従って、浸入した水が前記第５凹溝８３に至る迄には多くの時間を必要とし、又測定等の作業に充分な時間を提供する。
【００７２】
次に、前記レーザ測量機２４が横置きに設置された場合、例えば図１中で前記レーザ測量機２４を９０°時計回り方向に回転させた場合、を説明する。
【００７３】
図２を参照すると、図２を９０°時計回り方向に回転して前記間隙入口８５が下側となった状態であり、前記第１液溜め８１、前記第２凹溝７５に貯溜された水は重力の作用で、前記間隙入口８５に向って降下する。従って、前記第１液溜め８１、前記第２凹溝７５に雨水が浸入して、水が溜ったとしても、前記レーザ測量機２４を横置きとすることで、水が排出される。
【００７４】
一方、反対側の前記第１液溜め８１について上側になった場合を想定すると、該第１液溜め８１に貯溜された水は環状の該第１液溜め８１に沿って流下し、下側の前記間隙入口８５から流出する。又、上側となった前記第１液溜め８１では、前記第２環突条７２の前記庇部７２ａが垂直状態となり、土手として機能し、溜った水が中心に向って移動することを防止する。
【００７５】
従って、前記第１液溜め８１、前記第２凹溝７５に浸入した水が溜った場合で、前記レーザ測量機２４を横置きにすることで、浸入した水の大部分を排出することができる。
【００７６】
次に、図３は第２の実施の形態を示し、レーザ測量機２４を横置きした場合に、浸入した水をより効果的に排出できる様にしたものである。
【００７７】
第２環突条７２の内周面を上方に向って広がる様に傾斜させ、庇部７２ａの外周面を下方に向って広がる様に傾斜させ、第４凹溝７７の溝壁（第４環突条７８の内周面）は前記内周面、前記外周面に対して平行となる様に傾斜させたものである。又、第３環突条７３の上端部に外側に突出する庇部７３ａを形成し、前記第７環突条８４の上端部に内側に突出する庇部８４ａを形成したものである。
【００７８】
前記第２環突条７２の内周面、前記庇部７２ａの外周面を傾斜させたことで、前記第２環突条７２と前記第４凹溝７７との間に形成される経路は、鉛直又は下り傾斜となり、間隙に存在する水が流下し易くなり、浸入した水が効果的に排出される。又、前記庇部７３ａが形成されたことで、第２凹溝７５に貯溜した水が内部に浸入することが防止されると共に該第２凹溝７５に貯溜された水も外部に排出される。又、前記第５凹溝８３に溜った水も前記庇部８４ａが土手として機能し、筐体２６内部に浸入することを防止する。
【００７９】
尚、前記第２環突条７２、前記第４環突条７８のいずれか一方の内周面のみを傾斜させてもよい。
【００８０】
図４は第３の実施の形態を示しており、第１の実施の形態に於ける第２環突条７２の庇部７２ａを省略したものである。
【００８１】
第３の実施の形態の場合、前記第２環突条７２の高さがｈ２であり、第１環突条７１の高さｈ１より高くなっており、第１液溜め８１に溜った水の水位がｈ１を超えることで、該第１液溜め８１に溜った水の圧力により、貯溜された水を外部に排出する力が作用し、雨水の浸入が防止される。
【００８２】
図５は第４の実施の形態を示している。該第４の実施の形態では、第１環突条７１、第３凹溝７６を２重に形成したものである。前記第１環突条７１、前記第３凹溝７６を２重に形成することで、第１液溜め８１に至る迄のシール性が向上し、第１シール手段６８全体としての防水効果が向上する。
【００８３】
以上述べた如く、本発明では、屈曲した間隙によって非接触のシール手段が構成され、屈曲した間隙の途中に毛細管現象を遮断する第１液溜め８１が設けられることで、毛細管現象による水の浸入が遮断でき、又液溜めが設けられることで、レーザ測量機２４の内部に水が浸透する迄の時間を長くできる。又、液溜めに溜った水をレーザ測量機２４を傾け、或は倒すことで、排出可能とし、悪天候でのレーザ測量機２４の長時間の使用を可能とする。
【００８４】
又、第１液溜め８１で溜った水により、排出方向の圧力が作用する様に構成されているので、外部からの水の浸入が防止でき、更に所定水位以上に溜った水が排出でき、悪天候でのレーザ測量機の長時間の使用を可能とする。
【００８５】
次に、防塵作用について説明する。
【００８６】
埃は圧縮流体である空気の流れによって浸入するが、本発明のシール手段は狭小で複雑に屈曲した経路を具備しており、流動に対し大きな流路抵抗を形成する。更に、経路は直角な或は略直角な屈曲部を多数具備しており、空気中の埃は屈曲部に衝突又は当接することで、内部への浸入が抑止される。又、経路途中に大きな容積を有する液溜めが設けられているので、流入する空気の流れは該液溜めで大きく停滞し、内部への流入が抑制される。従って、埃に対しても充分なシール効果を有している。
【図面の簡単な説明】
【００８７】
【図１】本発明の実施の形態に係るレーザ測量機の断面図である。
【図２】本発明の第１の実施の形態の要部を示す部分断面図である。
【図３】本発明の第２の実施の形態の要部を示す部分断面図である。
【図４】本発明の第３の実施の形態の要部を示す部分断面図である。
【図５】本発明の第４の実施の形態の要部を示す部分断面図である。
【図６】従来のレーザ測量機を示す断面図である。
【図７】従来のレーザ測量機のシール部を示す拡大図である。
【符号の説明】
【００８８】
２４            レーザ測量機
２５            本体部
２６            筐体
２８            発光部収納体
２９            球面座
３４            光軸
３６            傾動機構部
５０            走査モータ
５３            天板
５５            レーザダイオード
５７            回動部
６１            ペンタプリズム
６６            回転板
６８            第１シール手段
６９            第２シール手段
７１            第１環突条
７２            第２環突条
７２ａ          庇部
８１            第１液溜め
８２            第６環突条
【図１】
2008122332.tif 000003
【図２】
2008122332.tif 000004
【図３】
2008122332.tif 000005
【図４】
2008122332.tif 000006
【図５】
2008122332.tif 000007
【図６】
2008122332.tif 000008
【図７】
2008122332.tif 000009